(57)【要約】【課題】装置本体のフレーム内への排水を回避する構成とした機械式スイッチの防水機構を備えた洗濯機を提供する。【解決手段】ドラム式洗濯機１は、装置本体１０の上面に機械式スイッチ３１の操作ボタン１２を有する。防水機構５０（防水カバー５１及びボタンシールド５２）は、上面フレーム板１０４と操作ボタン１２との間から浸入する水が操作基板３３に掛かることを防止する共に、浸入した水を装置本体１０のフレーム外に排出する構成とされている。【選択図】図７
2019024745.tif 000002
【特許請求の範囲】
【請求項１】
装置本体の上面に機械式スイッチの操作ボタンを有する洗濯機であって、
前記操作ボタンの周囲から浸入する水が操作基板に掛かることを防止する防水機構を有しており、
前記防水機構は、前記操作ボタンの周囲から浸入した水を前記装置本体のフレーム外に排出する構成であることを特徴とする洗濯機。
【請求項２】
請求項１に記載の洗濯機であって、
前記防水機構は、
内部領域に前記機械式スイッチを露出させるための開口を有している主底部と、前記主底部の外縁を囲むように前記主底部に対して上方に立設された第１外枠部と、前記主底部の前記開口の周囲を囲むように前記主底部に対して上方に立設された内枠部と、前記主底部に連接して設けられると共に、前記主底部よりも位置が低くなるように形成され、前記主底部上に溜まった水を機外に案内する排水部と、を備えた第１の部材と、
前記第１の部材の前記内枠部の上方で、前記内枠部の全体を覆うように配置されるボタン底部と、前記ボタン底部の外縁全体を囲むように前記ボタン底部に対して上方に立設された第２外枠部と、前記第２外枠部の内部領域において前記ボタン底部から上方に立設して形成されると共に、その上面が前記操作ボタンとなるボタン突起部と、前記第２外枠部の内部領域に形成され、前記ボタン底部上に溜まった水を前記第１の部材の前記排水部上に直接排出する排水孔部と、を備えた第２の部材と、からなり、
前記防水機構は、前記操作ボタンの周囲から浸入した水を、前記第２の部材の前記ボタン底部で受けた後、前記排水孔部から前記第１の部材の前記排水部上に直接排出し、前記排水部から機外に排出する第１の案内経路と、前記第２の部材の第２外枠部を越えた水を、前記第１の部材の前記主底部で受けた後、前記主底部から前記排水部に案内し、前記排水部から機外に排出する第２の案内経路と、を有していることを特徴とする洗濯機。
【請求項３】
請求項１に記載の洗濯機であって、
前記防水機構は、
内部領域に前記機械式スイッチを露出させるための開口を有している主底部と、前記主底部に連接して設けられると共に、前記主底部よりも位置が低くなるように形成され、前記主底部上に溜まった水を機外に案内する排水部と、を備えた第１の部材と、
前記第１の部材の前記開口の上方で、前記開口の全体を覆うように配置されるボタン底部と、前記ボタン底部の外縁全体を囲むように前記ボタン底部に対して上方に立設された第２外枠部と、前記第２外枠部の内部領域において前記ボタン底部から上方に立設して形成されると共に、その上面が前記操作ボタンとなるボタン突起部と、前記第２外枠部の内部領域に形成され、前記ボタン底部上に溜まった水を前記第１の部材の前記排水部上に直接排出する排水孔部と、を備えた第２の部材と、からなり、
前記防水機構は、前記操作ボタンの周囲から浸入した水を、前記第２の部材の前記ボタン底部で受けた後、前記排水孔部から前記第１の部材の前記排水部上に直接排出し、前記排水部から機外に排出する第１の案内経路を有していることを特徴とする洗濯機。
【請求項４】
請求項１に記載の洗濯機であって、
前記防水機構は、
内部領域に前記機械式スイッチを露出させるための開口を有している主底部と、前記主底部の外縁を囲むように前記主底部に対して上方に立設された第１外枠部と、前記主底部の前記開口の周囲を囲むように前記主底部に対して上方に立設された内枠部と、前記主底部に連接して設けられると共に、前記主底部よりも位置が低くなるように形成され、前記主底部上に溜まった水を機外に案内する排水部と、を備えた第１の部材と、
前記第１の部材の前記内枠部の上方で、前記内枠部の全体を覆うように配置されるボタン底部と、前記ボタン底部から上方に立設して形成されると共に、その上面が前記操作ボタンとなるボタン突起部と、を備えた第２の部材と、からなり、
前記防水機構は、前記操作ボタンの周囲から浸入した水を、前記第２の部材の前記ボタン底部で受け、前記第２の部材の前記ボタン底部から流れ落ちた水を前記第１の部材の前記主底部で受けた後、前記主底部から前記排水部に案内し、前記排水部から機外に排出する第２の案内経路を有していることを特徴とする洗濯機。
【請求項５】
請求項１から４の何れか１項に記載の洗濯機であって、
前記防水機構は、前記操作ボタンの周囲から浸入した水を、前記装置本体の前面からフレーム外に排出する構成であることを特徴とする洗濯機。
【発明の詳細な説明】
【技術分野】
【０００１】
本発明は、装置上面に機械式スイッチの操作ボタンを有する洗濯機に関する。
【背景技術】
【０００２】
特許文献１には、意匠性および操作性を向上させたドラム式洗濯機として、機械式（接点式）スイッチからなる主電源ボタンとタッチスイッチとから構成される操作パネルを備えたものが開示されている。すなわち、操作パネルにおいてタッチスイッチを用いることは、意匠性および操作性を向上させるのに有効であると考えられるが、洗濯機の不使用時における待機電力を削減するために主電源ボタンのみは機械式スイッチとすることが望ましい。
【０００３】
洗濯機に用いられる機械式スイッチにおいては、該スイッチの周囲から水が浸入し、浸入した水によって操作基板が濡れることを防止するための防水機構が必要となる。特許文献２には、機械式スイッチの周囲にラビリンス構造を設け、スイッチ下方に配置される操作基板を防水する構造が開示されている。
【先行技術文献】
【特許文献】
【０００４】
【特許文献１】特開２０１５−４３８６９号公報
【特許文献２】特開２０１３−１４３９８８号公報
【発明の概要】
【発明が解決しようとする課題】
【０００５】
特許文献２には、機械式スイッチの周囲から浸入した水が操作基板に掛からないようにラビリンス構造を用いて逃がす構造までしか開示されておらず、逃がされた水を最終的にどのように排水するかは考慮されていない。実際には、操作基板に掛からないように逃がされた水は、その後、洗濯機のフレーム内部に排水されているのが実情である。
【０００６】
しかしながら、洗濯機のフレーム内には、操作基板だけでなく配線やコネクタ等の配置されており、これらに水が掛かると短絡等の問題が生じる。そのため、機械式スイッチの防水機構によって逃がされる水をフレーム内部に排水する場合、配線やコネクタの電気部品に対しても十分な防水対策を施す必要がある。また、フレーム内部に排水された水は装置底部の部品（底台）上に溜り、フレーム内に溜まった水はユーザによる清掃が困難であるため、衛生面でも問題があった。
【０００７】
本発明は、上記課題に鑑みてなされたものであり、装置本体のフレーム内への排水を回避する構成とした機械式スイッチの防水機構を備えた洗濯機を提供することを目的とする。
【課題を解決するための手段】
【０００８】
上記の課題を解決するために、本発明は、装置本体の上面に機械式スイッチの操作ボタンを有する洗濯機であって、前記操作ボタンの周囲から浸入する水が操作基板に掛かることを防止する防水機構を有しており、前記防水機構は、前記操作ボタンの周囲から浸入した水を前記装置本体のフレーム外に排出する構成であることを特徴としている。
【０００９】
上記の構成によれば、機械式スイッチの操作ボタンの周囲から浸入した水を防水機構によって洗濯機の機外に排出でき、洗濯機の機内に水が入り込むことを防止できる。これにより、洗濯機の機内において、操作基板の周囲にある配線やコネクタ等に水が掛かる恐れが無くなる（もしくは低減できる）。このため、配線やコネクタ等における防水対策を省略（もしくは簡素化）することができる。また、排水された水が装置本体の底部の部品（底台）上に溜ることを防止でき、機内に排水する場合の衛生面における課題も解消できる。
【００１０】
また、上記洗濯機では、前記防水機構は、内部領域に前記機械式スイッチを露出させるための開口を有している主底部と、前記主底部の外縁を囲むように前記主底部に対して上方に立設された第１外枠部と、前記主底部の前記開口の周囲を囲むように前記主底部に対して上方に立設された内枠部と、前記主底部に連接して設けられると共に、前記主底部よりも位置が低くなるように形成され、前記主底部上に溜まった水を機外に案内する排水部と、を備えた第１の部材と、前記第１の部材の前記内枠部の上方で、前記内枠部の全体を覆うように配置されるボタン底部と、前記ボタン底部の外縁全体を囲むように前記ボタン底部に対して上方に立設された第２外枠部と、前記第２外枠部の内部領域において前記ボタン底部から上方に立設して形成されると共に、その上面が前記操作ボタンとなるボタン突起部と、前記第２外枠部の内部領域に形成され、前記ボタン底部上に溜まった水を前記第１の部材の前記排水部上に直接排出する排水孔部と、を備えた第２の部材と、からなり、前記防水機構は、前記操作ボタンの周囲から浸入した水を、前記第２の部材の前記ボタン底部で受けた後、前記排水孔部から前記第１の部材の前記排水部上に直接排出し、前記排水部から機外に排出する第１の案内経路と、前記第２の部材の第２外枠部を越えた水を、前記第１の部材の前記主底部で受けた後、前記主底部から前記排水部に案内し、前記排水部から機外に排出する第２の案内経路と、を有している構成とすることができる。
【００１１】
また、上記洗濯機では、前記防水機構は、内部領域に前記機械式スイッチを露出させるための開口を有している主底部と、前記主底部に連接して設けられると共に、前記主底部よりも位置が低くなるように形成され、前記主底部上に溜まった水を機外に案内する排水部と、を備えた第１の部材と、前記第１の部材の前記開口の上方で、前記開口の全体を覆うように配置されるボタン底部と、前記ボタン底部の外縁全体を囲むように前記ボタン底部に対して上方に立設された第２外枠部と、前記第２外枠部の内部領域において前記ボタン底部から上方に立設して形成されると共に、その上面が前記操作ボタンとなるボタン突起部と、前記第２外枠部の内部領域に形成され、前記ボタン底部上に溜まった水を前記第１の部材の前記排水部上に直接排出する排水孔部と、を備えた第２の部材と、からなり、前記防水機構は、前記操作ボタンの周囲から浸入した水を、前記第２の部材の前記ボタン底部で受けた後、前記排水孔部から前記第１の部材の前記排水部上に直接排出し、前記排水部から機外に排出する第１の案内経路を有している構成とすることができる。
【００１２】
また、上記洗濯機では、前記防水機構は、内部領域に前記機械式スイッチを露出させるための開口を有している主底部と、前記主底部の外縁を囲むように前記主底部に対して上方に立設された第１外枠部と、前記主底部の前記開口の周囲を囲むように前記主底部に対して上方に立設された内枠部と、前記主底部に連接して設けられると共に、前記主底部よりも位置が低くなるように形成され、前記主底部上に溜まった水を機外に案内する排水部と、を備えた第１の部材と、前記第１の部材の前記内枠部の上方で、前記内枠部の全体を覆うように配置されるボタン底部と、前記ボタン底部から上方に立設して形成されると共に、その上面が前記操作ボタンとなるボタン突起部と、を備えた第２の部材と、からなり、前記防水機構は、前記操作ボタンの周囲から浸入した水を、前記第２の部材の前記ボタン底部で受け、前記第２の部材の前記ボタン底部から流れ落ちた水を前記第１の部材の前記主底部で受けた後、前記主底部から前記排水部に案内し、前記排水部から機外に排出する第２の案内経路を有している構成とすることができる。
【００１３】
また、上記洗濯機では、前記防水機構は、前記操作ボタンの周囲から浸入した水を、前記装置本体の前面からフレーム外に排出する構成とすることができる。
【００１４】
上記の構成によれば、防水機構により機外に排出される水は、装置本体の前面から排出されるため、ユーザによる清掃が簡単に行える。
【発明の効果】
【００１５】
本発明の洗濯機は、機械式スイッチの操作ボタンの周囲から浸入した水を防水機構によって洗濯機の機外に排出することで、洗濯機の機内において、操作基板の周囲にある配線やコネクタ等における防水対策を省略（もしくは簡素化）することができるといった効果を奏する。また、排水された水が装置本体の底部の部品（底台）上に溜ることを防止でき、機内に排水する場合の衛生面における課題も解消できるといった効果を併せて奏する。
【図面の簡単な説明】
【００１６】
【図１】本発明の実施形態に係るドラム式洗濯機のドアが閉じた状態の外観を示す斜視図である。
【図２】図１のドラム式洗濯機のドアが開いた状態の外観を示す斜視図である。
【図３】実施の形態１のドラム式洗濯機の装置本体から上面フレーム板を取り外した状態を示す斜視図である。
【図４】実施の形態２の防水機構における防水カバーを示す図であり、（ａ）は斜視図、（ｂ）は平面図、（ｃ）は（ｂ）におけるＡ−Ａ断面図である。
【図５】実施の形態２の防水機構におけるボタンシールドを示す図であり、（ａ）は斜視図、（ｂ）は平面図、（ｃ）は（ｂ）におけるＢ−Ｂ断面図である。
【図６】実施の形態２のドラム式洗濯機の装置本体から上面フレーム板を取り外した状態であって、基板ユニット上に防水カバーのみが配置された状態を示す斜視図である。
【図７】実施の形態２における防水機構を示す図であり、装置本体に取り付けられた状態の防水機構を側方から見た断面図である。
【図８】実施の形態３における防水機構を示す図であり、装置本体に取り付けられた状態の防水機構を側方から見た断面図である。
【図９】実施の形態４における防水機構を示す図であり、装置本体に取り付けられた状態の防水機構を側方から見た断面図である。
【発明を実施するための形態】
【００１７】
以下、本発明の実施の形態について、図面を参照して詳細に説明する。
【００１８】
〔実施の形態１〕
図１は、本実施の形態１に係るドラム式洗濯機１のドア２０が閉じた状態の外観を示す斜視図である。図２は、ドラム式洗濯機１のドア２０が開いた状態の外観を示す斜視図である。以下、説明の便宜上、ドア２０が設けられた方向を前面側（前方）とする。また、本願におけるドラム式洗濯機１は、洗濯のみを行うドラム式洗濯機に限定されるものではなく、洗濯及び乾燥を行うことのできるドラム式洗濯乾燥機をも含むものである。また、本発明が適用可能な洗濯機は、装置上面に機械式スイッチの操作ボタンを有するものであればドラム式洗濯機に限定されるものでもなく縦型洗濯機でもよい。
【００１９】
ドラム式洗濯機１は、装置本体１０と、装置本体１０の前面側に設けられるドア２０とを備えている。装置本体１０における外箱前面部１０１は、外箱平面部１０１Ａと、上傾斜部１０１Ｂとを有している。外箱平面部１０１Ａは、略垂直方向に延在する。上傾斜部１０１Ｂは、外箱平面部１０１Ａの上方に延在すると共に、外箱平面部１０１Ａに対して後方に傾斜している。
【００２０】
また、装置本体１０は内部に回転槽１１を有しており、回転槽１１は外箱前面部１０１にて開口している。これにより、回転槽１１には、外箱前面部１０１側の開口から衣類等の洗濯物を出し入れすることができる。
【００２１】
ドア２０は、側方の一方の端部をヒンジによって装置本体１０に対して回動可能に取り付けられており、外箱前面部１０１にて回転槽１１の開口を開閉できるようにされている。本実施の形態１において、ドア２０の形状は、回転槽１１の開口に合わせた略円形状とはされておらず、正面視で略矩形状とされている。
【００２２】
より具体的には、ドア２０は、ドア本体部２１と傾斜部２２とを備えている。ドア本体部２１は、正面視で矩形状をしており、略垂直方向に延在する。ドア本体部２１における矩形状とは、そのコーナー部が丸みを有する形態も含む。傾斜部２２は、ドア本体部２１の上方に延在すると共に、ドア本体部２１に対して後方に傾斜している。すなわち、傾斜部２２の上端がドア本体部２１よりも後方に位置するように傾斜部２２は傾斜している。また、ドア２０におけるドア本体部２１および傾斜部２２は、装置本体１０の外箱前面部１０１における外箱平面部１０１Ａおよび上傾斜部１０１Ｂにそれぞれ対応した位置関係を有している。
【００２３】
ドア本体部２１は、その前面のほぼ全体が透光性を有する材料（例えばガラス材料）からなるドア前パネル部２１１とされている。また、ドア本体部２１の裏面側には、透光性を有する材料（例えばガラス材料）からなる突出閉止部２１２が設けられている。これにより、ドア２０が閉じられた状態において、ドア２０の前面側からドア前パネル部２１１および突出閉止部２１２を通じて回転槽１１の内部を視認できるようになっている。
【００２４】
また、ドア２０が閉じられた状態において、突出閉止部２１２の後方頂部の一部が回転槽１１の開口内に挿入されるようになっており、突出閉止部２１２の外周面が回転槽１１の開口周辺のパッキンに密着して、回転槽１１内の液体が外部に漏れることを防止するようになっている。
【００２５】
ドア２０の傾斜部２２には、その前面側に表示操作部２２１が配設される。表示操作部２２１は、例えばタッチパネルにて構成されており、ドラム式洗濯機１における動作状態、各種設定、ユーザへのメッセージ等の各種情報を表示したり、ユーザによる入力操作を受け付けたりできるようになっている。
【００２６】
本実施の形態１に係るドラム式洗濯機１では、ドア本体部２１と傾斜部２２とからなる矩形状のドア２０を備えることで、以下のような様々な利点が得られる。
(a) 矩形状のドア２０が回転槽１１の開口を閉じることで、装置本体１０の外箱前面部１０１とドア２０との間に凹凸が形成されにくくなり、清掃性が良好となる。
(b) 後方に傾斜した傾斜部２２の前面側に表示操作部２２１を配設することで、表示操作部２２１の面積を大きくすることができ、表示操作部２２１の操作性および視認性が向上する。
(c) 正面視で、ドア２０の上方において傾斜部２２が後方に引っ込んだ形態となっており、ドラム式洗濯機１がコンパクトになると共に圧迫感が軽減される。
(d) 表示操作部２２１がドア２０側に設けられることで、装置本体１０の上面に表示操作部を設ける必要が無くなり、装置本体１０の上方の空間を有効活用できる。
【００２７】
また、ドラム式洗濯機１は、タッチパネルからなる表示操作部２２１以外に、主電源ボタン（操作ボタン）１２を有している。主電源ボタン１２は、機械式スイッチからなり、装置本体１０の外箱上面部１０２に配置されている。機械式スイッチである主電源ボタン１２を設けたことで、ドラム式洗濯機１の不使用時における待機電力を削減することができる。
【００２８】
装置本体１０は、その外郭を構成するフレーム板の一部として、外箱前面部１０１の一部を形成する前面フレーム板１０３と、外箱上面部１０２および外箱前面部１０１の一部を形成する上面フレーム板１０４とを備えている。より具体的には、前面フレーム板１０３は、外箱前面部１０１における外箱平面部１０１Ａの全体と、外箱前面部１０１における上傾斜部１０１Ｂの下部を含むように構成される。一方、上面フレーム板１０４は、外箱上面部１０２の全体と、外箱前面部１０１における上傾斜部１０１Ｂの上部を含むように構成される。
【００２９】
上面フレーム板１０４には、主電源ボタン１２の配置箇所に開口が設けられており、主電源ボタン１２の上面はこの開口から外部に露出している。これにより、ユーザは主電源ボタン１２を押す操作が可能となる。また、主電源ボタン１２の周囲（主電源ボタン１２の外側面と上面フレーム板１０４の開口の内側面との間）には隙間が存在するため、この隙間から浸入した水が操作基板等に掛かることを防止するための防水機構が必要となる。
【００３０】
図３は、装置本体１０から上面フレーム板１０４を取り外した状態を示す斜視図である。尚、図３ではドア２０も取り外した状態を示している。図３において、３０は、操作基板３３（図７〜９参照）を含む基板ユニットである。また、図３において、５０は、操作基板３３上に配置された機械式スイッチ３１（図６〜９参照）を防水するための防水機構である。機械式スイッチ３１は、ユーザによる主電源ボタン１２の操作に連動してオン／オフされるものであり、機械式スイッチ３１のオン／オフに伴ってドラム式洗濯機１の主電源がオン／オフされる。
【００３１】
防水機構５０は、基板ユニット３０の上部で機械式スイッチ３１を覆うようにして配置されており、主電源ボタン１２の周囲の隙間から浸入した水が操作基板３３に掛かることを防止すると共に、この水を機外（装置本体１０のフレーム外）に排出する機能を有している。すなわち、防水機構５０は、主電源ボタン１２の周囲から浸入した水を機外に案内する案内経路を有している。
【００３２】
主電源ボタン１２の周囲から浸入した水は、防水機構５０が有する案内経路を通り、装置本体１０の外箱前面部１０１から排出される。より具体的には、前面フレーム板１０３と上面フレーム板１０４との間の隙間から装置本体１０のフレーム外に排出される。
【００３３】
本実施の形態１に係るドラム式洗濯機１では、防水機構５０により、主電源ボタン１２の周囲から浸入した水を機外に排出でき、機内（装置本体１０のフレーム内）に水が入り込むことを防止できる。これにより、ドラム式洗濯機１の機内において、基板ユニット３０の周囲にある配線やコネクタ等に水が掛かる恐れが無くなる（もしくは低減できる）。このため、配線やコネクタ等における防水対策を省略（もしくは簡素化）することができる。
【００３４】
また、排水された水が装置本体１０の底部の部品（底台）上に溜ることを防止でき、機内に排水する場合の衛生面における課題も解消できる。防水機構５０により機外に排出される水は、装置本体１０の外箱前面部１０１から排出されるため、ユーザによる清掃も簡易に行える。
【００３５】
〔実施の形態２〕
本実施の形態２では、防水機構５０の具体的構成について、図４〜図７を参照して詳細に説明する。
【００３６】
防水機構５０は、防水カバー（第１の部材）５１およびボタンシールド（第２の部材）５２により構成されている。図４は防水カバー５１を示す図であり、（ａ）は斜視図、（ｂ）は平面図、（ｃ）は（ｂ）におけるＡ−Ａ断面図である。図５はボタンシールド５２を示す図であり、（ａ）は斜視図、（ｂ）は平面図、（ｃ）は（ｂ）におけるＢ−Ｂ断面図である。図６は、装置本体１０から上面フレーム板１０４を取り外した状態であって、基板ユニット３０上に防水カバー５１のみが配置された状態を示す斜視図である。尚、図６では、基板ユニット３０における上面カバー３２（図３参照）をも取り外した状態を示している。
【００３７】
防水カバー５１は、図４に示すように、主底部５１１、第１外枠部５１２、内枠部５１３、排水部５１４、第３外枠部５１５およびヒンジ保持部５１６を備えている。
【００３８】
主底部５１１は、防水カバー５１を基板ユニット３０上に配置した際に水平面となる底部であり、その外縁（特に、後部及び両側部の３方）を第１外枠部５１２で囲まれると共に、内部領域に基板ユニット３０の機械式スイッチ３１を露出させるための開口を有している。
【００３９】
第１外枠部５１２は、主底部５１１に対して上方に立設されており、主底部５１１上に溜まった水が防水カバー５１の外部に漏れることを防止し、主底部５１１上に溜まった水を排水部５１４に確実に案内する。
【００４０】
内枠部５１３は、機械式スイッチ３１を露出させるための上記開口を囲むように主底部５１１に対して上方に立設されており、平面視では前方側のみが開放された「コ」の字形に形成されている。すなわち、内枠部５１３で囲まれた開口内において基板ユニット３０の機械式スイッチ３１が露出するように防水カバー５１が配置される（図６参照）。また、内枠部５１３の前端は、主底部５１１の前端縁と一致しており、内枠部５１３の前方の開放部分は排水部５１４に直接繋がっている。これにより、主底部５１１上に溜まった水が内枠部５１３の内側に回り込んで、上記開口から機内に入り込むことを防止できる。尚、内枠部５１３の平面視形状は、上述のように前方が開放された形状に限定されるものではなく、上記開口を完全に囲むような形状（例えば、略矩形状）であってもよい。
【００４１】
排水部５１４は、主底部５１１の前方側において、主底部５１１よりも位置が低くなるように形成されており、主底部５１１上に溜まった水を機外に案内する。図４の例では、排水部５１４は階段状に形成されている。但し、本発明はこれに限定されるものではなく、排水部５１４は、例えば傾斜面等の他の形状であってもよい。
【００４２】
第３外枠部５１５は、第１外枠部５１２と連接するように形成されると共に、排水部５１４の両側部で上方に立設するように形成されている。すなわち、第３外枠部５１５は、排水部５１４を流れる水が排水部５１４の側方に漏れることを防止し、機外に確実に案内する。
【００４３】
ヒンジ保持部５１６は、ボタンシールド５２が有するヒンジ部５２５（図５参照）と組み合わされてヒンジを形成する部分である。図４の例では、ヒンジ保持部５１６は、主底部５１１上において内枠部５１３の後方に配置されている。
【００４４】
ボタンシールド５２は、図５に示すように、ボタン底部５２１、第２外枠部５２２、ボタン突起部５２３、排水孔部５２４およびヒンジ部５２５を有している。
【００４５】
ボタン底部５２１は、防水カバー５１と共に防水機構５０を構成する際、防水カバー５１の主底部５１１の上方、より具体的には内枠部５１３直上に配置される。また、ボタン底部５２１は平面視で内枠部５１３よりも広く形成されており、内枠部５１３はボタン底部５２１によって完全に覆われる。
【００４６】
第２外枠部５２２は、ボタン底部５２１の外縁全体を囲むように、ボタン底部５２１に対して上方に立設されており、ボタン底部５２１上に溜まった水がボタンシールド５２の外部に漏れることを防止する。
【００４７】
ボタン突起部５２３は、第２外枠部５２２の内部領域において、ボタン底部５２１から上方に立設して形成される。ボタン突起部５２３の上面は、装置本体１０において、上面フレーム板１０４に設けられた開口から外部に露出して主電源ボタン１２となる。また、ボタン突起部５２３の直下には、基板ユニット３０の機械式スイッチ３１が配置される。すなわち、ユーザが主電源ボタン１２（外部に露出したボタン突起部５２３）を押すと、ボタンシールド５２を介して機械式スイッチ３１が押されるようになっている（図７参照）。
【００４８】
排水孔部５２４は、ボタンシールド５２の前方において筒状に形成されている。排水孔部５２４の上部開口はボタン底部５２１内（第２外枠部５２２の内部領域）に存在しており、ボタン底部５２１上に溜まった水は排水孔部５２４に流れ込むようになっている。一方、排水孔部５２４の下部開口はボタン底部５２１よりも下方に位置する。また、防水機構５０においては、排水孔部５２４の下部開口は、防水カバー５１の主底部５１１の前方において主底部５１１よりも低い位置に配置される。これにより、排水孔部５２４に流れ込んだ水は、防水カバー５１の主底部５１１上に排出されることはなく、排水部５１４上に直接排出されるようになっている。
【００４９】
ヒンジ部５２５は、第２外枠部５２２の外側（図５の例では、第２外枠部５２２の後方）に形成される。ヒンジ部５２５は、その先端に形成されたヒンジ軸を防水カバー５１のヒンジ保持部５１６によって保持される。これにより、ボタンシールド５２は防水カバー５１にヒンジ結合され、ヒンジ軸周りに回動することが可能となる。すなわち、ユーザが主電源ボタン１２（外部に露出したボタン突起部５２３）を押したときに、その押圧力を機械式スイッチ３１に伝えることができるようになっている。
【００５０】
尚、本実施の形態では、ボタンシールド５２を防水カバー５１にヒンジ結合する構成としているが、本発明はこれに限定されるものではなく、ボタンシールド５２は上面フレーム板１０４にヒンジ結合されていてもよい。
【００５１】
続いて、防水機構５０において、主電源ボタン１２の周囲から浸入した水を機外に案内する案内経路を説明する。図７は、装置本体１０に取り付けられた状態の防水機構５０を側方から見た断面図である。本実施の形態２では、防水機構５０は２つの案内経路を有している。
【００５２】
第１の案内経路（図７中、実線矢印で示す）では、主電源ボタン１２の周囲から浸入した水は、最初にボタンシールド５２のボタン底部５２１で受けられる。ボタン底部５２１に溜まった水は、第２外枠部５２２によって外部に漏れることを防止され、排水孔部５２４に流れ込む。排水孔部５２４に流れ込んだ水は、防水カバー５１の排水部５１４上に直接排出され、排水部５１４から機外に排出される。
【００５３】
主電源ボタン１２の周囲から浸入した水の水量が多く、ボタン底部５２１に溜まった水が第２外枠部５２２を越えて漏れた場合には、第２の案内経路（図７中、破線矢印で示す）が使用される。第２の案内経路では、第２外枠部５２２を越えて漏れた水は、防水カバー５１の主底部５１１で受けられる。主底部５１１に溜まった水は、第１外枠部５１２によって外部に漏れることを防止されると共に、内枠部５１３によって機械式スイッチ３１の周囲の開口から基板ユニット３０上に流れ込むことを防止される。すなわち、主底部５１１に溜まった水は、その全てが排水部５１４へと案内され、排水部５１４から機外に排出される。
【００５４】
〔実施の形態３〕
実施の形態２で示した防水機構５０は、主電源ボタン１２の周囲から浸入した水を機外に案内する案内経路として、２つの案内経路（第１の案内経路および第２の案内経路）を有するものを例示した。しかしながら、本発明はこれに限定されるものではなく、例えば、第１の案内経路における排水効率が十分に高ければ、第２の案内経路を省略して第１の案内経路のみとしてもよい。
【００５５】
図８は、装置本体１０に取り付けられた状態の防水機構５０を側方から見た断面図である。本実施の形態３では、防水機構５０は第１の案内経路のみを有している。すなわち、本実施の形態３に係る防水機構５０は、第１の案内経路における排水効率が十分に高く、ボタン底部５２１に溜まった水が第２外枠部５２２を越えて漏れることが無い場合に適用できる。
【００５６】
この場合、ボタンシールド５２の構成は実施の形態２と同じであるが、防水カバー５１においては、第１外枠部５１２および内枠部５１３が省略される。これは、ボタン底部５２１に溜まった水が第２外枠部５２２を越えることが無ければ、防水カバー５１の主底部５１１に水が溜まることも無いためである。
【００５７】
〔実施の形態４〕
本実施の形態４では、第２の案内経路のみを有する防水機構５０の例を示す。図９は、装置本体１０に取り付けられた状態の防水機構５０を側方から見た断面図である。
【００５８】
本実施の形態４に係る防水機構５０では、防水カバー５１の構成は実施の形態２と同じであるが、ボタンシールド５２においては、第２外枠部５２２および排水孔部５２４が省略される。この場合、主電源ボタン１２の周囲から浸入した水は、ボタンシールド５２のボタン底部５２１で受けられた後、防水カバー５１の主底部５１１上へ流れ落ちる。主底部５１１上へ流れ落ちた水は、実施の形態２で説明した第２の案内経路のように、排水部５１４から機外に排出される。
【００５９】
本実施の形態４では、ボタンシールド５２のボタン底部５２１は、平面視で内枠部５１３よりも広く形成されており、内枠部５１３はボタン底部５２１によって完全に覆われるようになっていればよい。これにより、ボタン底部５２１から流れ落ちる水が、内枠部５１３の内側に入り込むことを防止できる。
【００６０】
また、図９に示すように、ボタン底部５２１の外縁部において、その外縁部を囲むように下方に突出した第４外枠部５２６を形成してもよい。この第４外枠部５２６を形成することにより、ボタン底部５２１から流れ落ちる水が、内枠部５１３の内側に入り込むことをより確実に防止できる。
【００６１】
今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００６２】
１    ドラム式洗濯機
１０    装置本体
１１    回転槽
１２    主電源ボタン（操作ボタン）
２０    ドア
２１    ドア本体部
２２    傾斜部
３０    基板ユニット
３１    機械式スイッチ
３３    操作基板
５０    防水機構
５１    防水カバー（第１の部材）
５２    ボタンシールド（第２の部材）
１０１    外箱前面部
１０１Ａ  外箱平面部
１０１Ｂ  上傾斜部
１０２    外箱上面部
１０３    前面フレーム板
１０４    上面フレーム板
２２１    表示操作部
５１１    主底部
５１２    第１外枠部
５１３    内枠部
５１４    排水部
５１５    第３外枠部
５１６    ヒンジ保持部
５２１    ボタン底部
５２２    第２外枠部
５２３    ボタン突起部
５２４    排水孔部
５２５    ヒンジ部
５２６    第４外枠部
【図１】
2019024745.tif 000003
【図２】
2019024745.tif 000004
【図３】
2019024745.tif 000005
【図４】
2019024745.tif 000006
【図５】
2019024745.tif 000007
【図６】
2019024745.tif 000008
【図７】
2019024745.tif 000009
【図８】
2019024745.tif 000010
【図９】
2019024745.tif 000011